(57)【要約】【課題】  ハウジングの係止部とリアホルダの被係止部との係止が解除されることなく、互いの係止状態を容易に判断できるコネクタを提供する。【解決手段】本発明に係るコネクタ１は、電線Ｗの端末に接続された端子Ｔを内部で収容し、外面にロック爪１３，１４を有するハウジング１０と、ロック爪１３，１４に弾性変形により係止或いは係止解除するロック枠体３１Ｂ，３２Ｂを有し、ハウジング１０の後方に装着され、電線Ｗの外周に密着するゴム栓６０のハウジング１０からの脱落を防止するリアホルダ３０と、リアホルダ３０が装着されたハウジング１０の外周に装着されるシールドシェル４０とを備える。シールドシェル４０は、ハウジング１０に対するリアホルダ３０の組付過程でのロック枠体３１Ｂ，３２Ｂの弾性変形領域に配置され、ロック枠体３１Ｂ，３２Ｂの弾性変形を阻止する後端部分４１Ａを有する。【選択図】図２
2014154359.tif 000002
【特許請求の範囲】
【請求項１】
電線の端末に接続された端子を内部で収容し、外面に係止部を有するハウジングと、
前記係止部に弾性変形により係止或いは係止解除する被係止部を有し、前記ハウジングの前記電線が延出される側に装着され、前記電線の外周に密着する防水部材の前記ハウジングからの脱落を防止するリアホルダと、
前記リアホルダが装着された前記ハウジングの外周に装着されるシールドシェルと
を備え、
前記シールドシェルは、前記ハウジングに対する前記リアホルダの組付過程での前記被係止部の弾性変形領域に配置され、前記被係止部の弾性変形を阻止する係止解除阻止部を有することを特徴とするコネクタ。
【請求項２】
請求項１に記載のコネクタであって、
前記係止部は、前記被係止部を弾性変形させて案内するテーパ面と、前記テーパ面により案内された前記被係止部と係止する係止面とによって構成され、
前記係止解除阻止部は、前記係止面上に配置されることを特徴とするコネクタ。
【請求項３】
請求項１又は請求項２に記載のコネクタであって、
前記シールドシェルの内面と前記係止部の先端と隙間は、前記被係止部の厚みよりも小さいことを特徴とするコネクタ。
【発明の詳細な説明】
【技術分野】
【０００１】
本発明は、ハウジングとリアホルダとを覆うシールドシェルを備えたコネクタに関する。
【背景技術】
【０００２】
この種のコネクタの一例について、図５を参照しながら説明する（例えば、特許文献１参照）。図５に示すように、コネクタ１００は、電線Ｗの端末に接続された端子Ｔを収容するハウジング１１０と、ハウジング１１０内で電線Ｗの外周に密着するシール部材（不図示）と、ハウジング１１０の後方に装着されてシール部材のハウジング１１０からの脱落を防止するリアホルダ１２０と、ハウジング１１０の外周に装着されて電磁ノイズなどの侵入や漏洩を防止するシールドシェル１３０とを備えている。
【０００３】
ハウジング１１０には、先端に係止爪１１１を有するロックアーム（不図示）が設けられている。この係止爪１１１にリアホルダ１２０の係止溝（不図示）及びシールドシェル１３０の係止溝１３１が係止する。これにより、ハウジング１１０の後方にリアホルダ１２０及びシールドシェル１３０が装着される。
【先行技術文献】
【特許文献】
【０００４】
【特許文献１】特開２０１１−５４３９３号公報
【発明の概要】
【発明が解決しようとする課題】
【０００５】
しかしながら、上述した従来のコネクタ１００では、図５に示すように、係止爪１１１が外部に露出されているため、外力等によってロックアーム（不図示）が撓むと、係止爪１１１と係止溝１３１との係止が解除されるおそれがあった。
【０００６】
ここで、係止爪１１１と係止溝１３１との係止状態が解除されないように、互いの係止位置をシールドシェル１３０によって覆うことが考えられる。しかし、ハウジング１１０にシールドシェル１３０を装着した後に、ハウジング１１０にリアホルダ１２０を装着する場合、係止爪１１１と係止溝１３１との互いの係止状態を把握できず、ハウジング１１０にリアホルダ１２０が完全に装着されたか否かを判断することが難しい。
【０００７】
そこで、本発明は、上述した課題を解決すべくなされたものであり、ハウジングの係止部とリアホルダの被係止部との係止が解除されることなく、互いの係止状態を容易に判断できるコネクタの提供を目的とする。
【課題を解決するための手段】
【０００８】
上述した課題を解決するため、本発明は、次のような特徴を有している。まず、本発明の第１の特徴は、電線の端末に接続された端子を内部で収容し、外面に係止部を有するハウジングと、前記係止部に弾性変形により係止或いは係止解除する被係止部を有し、前記ハウジングの前記電線が延出される側に装着され、前記電線の外周に密着する防水部材の前記ハウジングからの脱落を防止するリアホルダと、前記リアホルダが装着された前記ハウジングの外周に装着されるシールドシェルとを備え、前記シールドシェルは、前記ハウジングに対する前記リアホルダの組付過程での前記被係止部の弾性変形領域に配置され、前記被係止部の弾性変形を阻止する係止解除阻止部を有することを要旨とする。
【０００９】
その他の特徴として、前記係止部は、前記被係止部を弾性変形させて案内するテーパ面と、前記テーパ面により案内された前記被係止部と係止する係止面とによって構成され、前記係止解除阻止部は、前記係止面上に配置されるものであってもよい。
【００１０】
その他の特徴として、前記シールドシェルの内面と前記係止部の先端と隙間は、前記被係止部の厚みよりも小さいものであってもよい。
【発明の効果】
【００１１】
本発明の特徴によれば、係止解除阻止部が被係止部の弾性変形を阻止することで、外力等によって互いの係止状態が解除されることを防止できる。また、係止解除阻止部が被係止部の弾性変形領域に配置されることで、ハウジングに対してリアホルダが装着される前にシールドシェルが装着されると、被係止部が係止解除阻止部に干渉し、ハウジングにリアホルダを装着できない（すなわち、係止部と被係止部との係止が不能となる）。このため、ハウジングに対してシールドシェルを装着する前にリアホルダを装着する必要があり、このときに、係止部と被係止部との係止状態を把握でき、ハウジングにリアホルダが完全に装着されたか否かを容易に判断できる。以上により、ハウジングの係止部とリアホルダの被係止部との係止が解除されることなく、互いの係止状態を容易に判断できる。
【図面の簡単な説明】
【００１２】
【図１】図１は、本実施形態に係るコネクタを示す斜視図である。
【図２】図２は、本実施形態に係るコネクタを示す分解斜視図である。
【図３】図３は、本実施形態に係るコネクタの正規組立状態を示す断面図である。
【図４】図４は、本実施形態に係るコネクタの組立不能状態を示す断面図である。
【図５】図５は、背景技術に係るコネクタを示す斜視図である。
【発明を実施するための形態】
【００１３】
次に、本発明に係るコネクタの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１４】
（コネクタの構成）
まず、本実施形態に係るコネクタ１の構成について、図面を参照しながら説明する。図１は、本実施形態に係るコネクタ１を示す斜視図である。図２は、本実施形態に係るコネクタ１を示す分解斜視図である。図３は、本実施形態に係るコネクタ１の正規組立状態を示す断面図である。図４は、本実施形態に係るコネクタ１の組立不能状態を示す断面図である。なお、説明の便宜を図るために、電線Ｗの端末に設けられた端子Ｔ側（強電回路を収容する筐体（不図示））を「前方」とし、端子Ｔとは反対側で電線Ｗが延出される側を「後方」とする。
【００１５】
図１〜図３に示すように、コネクタ１は、電線Ｗの端末に設けられた端子Ｔを内部で収容するハウジング１０と、ハウジング１０の前方に装着されるフロントホルダ２０と、ハウジング１０の後方に装着されるリアホルダ３０と、リアホルダ３０が装着されたハウジング１０の外周に装着されるシールドシェル４０とによって大略構成されている。
【００１６】
ハウジング１０は、絶縁性の材料（例えば、合成樹脂）によって形成されている。ハウジング１０は、内部に端子Ｔを収容する端子収容室１１と、端子収容室１１と連通されて電線Ｗが配置される電線収容室１２とを備えている。
【００１７】
この端子収容室１１の外周には、パッキン５０が装着されている。パッキン５０は、弾性の材料（例えば、ゴム）によって形成されている。パッキン５０は、端子Ｔが電気的に接続される強電回路を収容する筐体（不図示）とハウジング１０とが嵌合した状態で、筐体（不図示）とハウジング１０とに密着することにより防水している。
【００１８】
一方、電線収容室１２内に配置される電線Ｗの外周には、ゴム栓６０が配置される。ゴム栓６０は、電線収容室１２の内面と電線Ｗの外周とに密着することにより防水している。
【００１９】
この電線収容室１２の外面（上側及び下側）には、係止部としてのロック爪１３，１４が設けられている。ロック爪１３，１４は、リアホルダ３０の後述するロック枠体３１Ｂ，３２Ｂを弾性変形させて案内するテーパ面１３Ａ，１４Ａと、テーパ面１３Ａ，１４Ａにより案内されたロック枠体３１Ｂ，３２Ｂと係止する係止面１３Ａ，１４Ａとによって構成されている。
【００２０】
フロントホルダ２０は、絶縁性の材料（例えば、合成樹脂）によって形成されている。フロントホルダ２０には、端子Ｔの先端が挿通する端子挿通孔２１が形成されている。この端子挿通孔２１から端子Ｔの先端が突出した状態で、フロントホルダ２０がハウジング１０の端子収容室１１の開口を塞いでいる。フロントホルダ２０は、ランスなどの係止手段（不図示）によって端子Ｔの先端を位置決めし、ハウジング１０からの端子Ｔの抜けを防止している。また、フロントホルダ２０は、ハウジング１０からのパッキン５０の脱落も防止している。
【００２１】
リアホルダ３０は、絶縁性の材料（例えば、樹脂）によって形成されている。リアホルダ３０は、互いに合体する一対の分割体３１，３２によって構成されている。この分割体３１，３２は、互いに合体した状態で電線Ｗを支持する半円状の電線支持溝３１Ａ，３２Ａと、ハウジング１０側に向かって突出してロック爪１３，１４に弾性変形により係止或いは係止解除する被係止部としてのロック枠体３１Ｂ，３２Ｂとを有している。これらの分割体３１，３２は、ゴム栓６０の後方で電線Ｗを挟持するように互いに組み付けられ、ハウジング１０からのゴム栓６０の脱落を防止している。
【００２２】
シールドシェル４０は、電磁ノイズなどの侵入や漏洩を防止するために、金属材（例えば、アルミニウム或いはこの合金）によって形成されている。図２に示すように、シールドシェル４０は、筒状部４１と、フランジ部４２とによって構成されている。
【００２３】
筒状部４１は、図３に示すように、ハウジング１０に対するリアホルダ３０の組付過程でのロック枠体３１Ｂ，３２Ｂが弾性変形する領域（以下、弾性変形領域）に配置され、ロック枠体３１Ｂ，３２Ｂの弾性変形を阻止する係止解除阻止部としての後端部分４１Ａを有している。後端部分４１Ａは、ロック爪１３，１４の係止面１３Ａ，１４Ａ上に配置されている。つまり、筒状部４１は、係止面１３Ａ，１４Ａとロック枠体３１Ｂ，３２Ｂとの係止位置（係止面１３Ａ，１４Ａへのロック枠体３１Ｂ，３２Ｂの係り代の部位）を覆っている。
【００２４】
このような筒状部４１の内面とロック爪１３，１４の先端と隙間Ｓは、ロック枠体３１Ｂ，３２Ｂの厚みよりも小さくなっている。これにより、図４に示すように、ハウジング１０に対してリアホルダ３０を装着する前にシールドシェル４０を装着した場合、リアホルダ３０のロック枠体３１Ｂ，３２Ｂが隙間Ｓ内に入り込まず（ロック枠体３１Ｂ，３２Ｂが後端部分４１Ａに干渉し）、リアホルダ３０を装着することができなくなっている。つまり、ハウジング１０に対してシールドシェル４０を装着する前にリアホルダ３０を装着しなければならない。
【００２５】
（コネクタの組付過程）
次に、上述したコネクタ１の組付過程について、図１〜図４を参照しながら説明する。
【００２６】
図１及び図２に示すように、コネクタ１のハウジング１０に対して、上述した各部品（すなわち、フロントホルダ２０、リアホルダ３０、シールドシェル４０、パッキン５０、ゴム栓６０）を組み付ける。このとき、図３に示すように、ハウジング１０に対してシールドシェル４０を装着する前にリアホルダ３０を装着し、その後、リアホルダ３０が装着されたハウジング１０にシールドシェル４０を装着する。これにより、シールドシェル４０の後端部分４１Ａは、ロック枠体３１Ｂ，３２Ｂの弾性変形領域に配置され、ロック枠体３１Ｂ，３２Ｂの弾性変形を阻止している。
【００２７】
ここで、上述したように、コネクタ１のハウジング１０に対してリアホルダ３０を装着する前にシールドシェル４０を装着した場合、図４に示すように、ロック枠体３１Ｂ，３２Ｂが後端部分４１Ａに干渉し、ハウジング１０にリアホルダ３０を装着できない（すなわち、ロック爪１３，１４とロック枠体３１Ｂ，３２Ｂとの係止が不能となる）。
【００２８】
（作用・効果）
以上説明した実施形態では、シールドシェル４０の後端部分４１Ａがロック枠体３１Ｂ，３２Ｂの弾性変形を阻止することで、外力等によって互いの係止状態が解除されることを防止できる。
【００２９】
また、シールドシェル４０の後端部分４１Ａがロック枠体３１Ｂ，３２Ｂの弾性変形領域に配置されることで、ハウジング１０に対してリアホルダ３０が装着される前にシールドシェル４０が装着されると、ロック枠体３１Ｂ，３２Ｂが後端部分４１Ａに干渉し、ハウジング１０にリアホルダ３０を装着できない（すなわち、ロック爪１３，１４とロック枠体３１Ｂ，３２Ｂとの係止が不能となる）。このため、ハウジング１０に対してシールドシェルを装着する前にリアホルダ３０を装着しなければならず、この際、ロック爪１３，１４とロック枠体３１Ｂ，３２Ｂとの係止状態を把握でき、ハウジング１０にリアホルダ３０が完全に装着されたか否かを容易に判断できる。なお、ハウジング１０にシールドシェル４０を装着できない時点で、ハウジング１０にリアホルダ３０が完全に装着されていないことを判断できる。
【００３０】
さらに、ハウジング１０に対するシールドシェル４０の装着時に、ハウジング１０へのリアホルダ３０の装着が不十分（すなわち、ロック爪１３，１４とロック枠体３１Ｂ，３２Ｂとの係止が不十分）であっても、シールドシェル４０がロック枠体３１Ｂ，３２Ｂに干渉して前方に押し込むことができる。このため、ロック枠体３１Ｂ，３２Ｂがロック爪１３，１４の係止面１３Ａ，１４Ａまで確実に案内され、ハウジング１０へのシールドシェル４０の装着時にリアホルダ３０をも確実に装着できる。
【００３１】
以上により、ハウジング１０のロック爪１３，１４とリアホルダ３０のロック枠体３１Ｂ，３２Ｂとの係止が解除されることなく、互いの係止状態を容易に判断できる。
【００３２】
本実施形態では、シールドシェル４０（筒状部４１）の後端部分４１Ａは、ロック爪１３，１４の係止面１３Ａ，１４Ａ上に設けられる。これにより、ロック爪１３，１４とロック枠体３１Ｂ，３２Ｂとの係止位置が外部に露出されない状態でも、ロック枠体３１Ｂ，３２Ｂの根元側を目視できる。このため、ハウジング１０に対してシールドシェル４０が装着された後でも、ロック爪１３，１４とロック枠体３１Ｂ，３２Ｂとが互いに係止されたことを把握できる。
【００３３】
本実施形態では、シールドシェル４０（筒状部４１）の内面とロック爪１３，１４の先端と隙間Ｓは、ロック枠体３１Ｂ，３２Ｂの厚みよりも小さい。これにより、ハウジング１０に対してリアホルダ３０が装着される前にシールドシェル４０が装着された場合、ロック枠体３１Ｂ，３２Ｂが隙間Ｓからシールドシェル４０の内側へ入り込むことを防止できる。
【００３４】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００３５】
例えば、本発明の実施形態は、次のように変更することができる。具体的には、ハウジング１０の係止部としてロック爪１３，１４であり、リアホルダ３０の被係止部としてロック枠体３１Ｂ，３２Ｂであるものとして説明したが、これに限定されるものではなく、爪部や孔部の関係が逆であってもよい。なお、ロック爪１３，１４やロック枠体３１Ｂ，３２Ｂの形状や配置箇所、個数については、任意に設定できることは勿論である。
【００３６】
また、シールドシェル４０の後端部分４１Ａは、ロック爪１３，１４の係止面１３Ａ，１４Ａ上に設けられるものとして説明したが、これに限定されるものではなく、ロック枠体３１Ｂ，３２Ｂの弾性変形を阻止できれば（すなわち、弾性変形領域に配置されていれば）よく、例えば、係止面１３Ａ，１４Ａよりも前方位置や後方位置に設けられていてもよい。
【００３７】
さらに、シールドシェル４０の内面とロック爪１３，１４の先端と隙間Ｓは、ロック枠体３１Ｂ，３２Ｂの厚みよりも小さいものとして説明したが、これに限定されるものではなく、ロック枠体３１Ｂ，３２Ｂの厚みよりも大きくてもよい。この場合、例えば、シールドシェル４０の後端部分４１Ａに内部に向かって突出する突起等が設けられ、この突起等にロック枠体３１Ｂ，３２Ｂが干渉することにより隙間Ｓから入り込んでしまうことを防止していてもよい。
【００３８】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００３９】
１…コネクタ
１０…ハウジング
１３，１４…ロック爪（係止部）
１３Ａ，１４Ａ…テーパ面
１３Ｂ，１４Ｂ…係止面
２０…フロントホルダ
３０…リアホルダ
３１Ｂ，３２Ｂ…ロック枠体（被係止部）
４０…シールドシェル
４１…筒状部
４１Ａ…後端部分（係止解除阻止部）
５０…パッキン
６０…ゴム栓（防水部材）
Ｔ…端子
Ｗ…電線
Ｓ…隙間
【図１】
2014154359.tif 000003
【図２】
2014154359.tif 000004
【図３】
2014154359.tif 000005
【図４】
2014154359.tif 000006
【図５】
2014154359.tif 000007